(57)【要約】本発明は、共有ネットワーク環境内で緊急ベアラサービスなどの要求されるサービスを提供する要求ＰＬＭＮをＰＬＭＮのリストからユーザ装置が選択する方法を提供し、この方法は、前記複数のＰＬＭＮそれぞれのネットワーク識別子のリストを作成するステップと、前記要求ＰＬＭＮの識別子を前記リスト中の所定位置に配置するステップとを含む。関連するユーザ装置およびネットワークノード装置も提供される。
2013516800.tif 000002
【特許請求の範囲】
【請求項１】
多ネットワーク環境内で移動無線通信装置が複数のネットワークから要求ネットワークを選択するのを支援する方法であって、前記複数のネットワークそれぞれのネットワーク識別子の構造化表現を作成するステップと、前記要求ネットワークの前記識別子を、前記構造化表現中の所定位置に配置するステップとを含む方法。
【請求項２】
前記多ネットワーク環境が共有ネットワーク環境を含む、請求項１に記載の方法。
【請求項３】
前記構造化表現が、前記ネットワーク識別子のリスト、行列、および／または必要とされる任意のビットマップ表現の少なくとも１つを含む、請求項１または２に記載の方法。
【請求項４】
前記構造化表現中の前記所定位置が、ネットワークのリスト中の先頭位置を含む、請求項３に記載の方法。
【請求項５】
前記所定位置が、前記リスト、行列、またはビットマップ表現中の特定の指定位置を含む、請求項３に記載の方法。
【請求項６】
前記構造化表現中の前記ネットワーク識別子のうち少なくとも２つの位置を変えて、前記所定位置に見つかる前記ネットワーク識別子を変更するステップをさらに含む、請求項１から５のいずれか１項に記載の方法。
【請求項７】
前記少なくとも２つのネットワーク識別子の位置を周期的に変えるステップをさらに含む、請求項６に記載の方法。
【請求項８】
制限されたサービスモードで動作している、かつ／または前記複数のネットワークの１つまたは複数に緊急ベアラサービスを求めている移動無線通信装置が、要求されるネットワークを選択するのを支援する、請求項１から７のいずれか１項に記載の方法。
【請求項９】
多ネットワーク環境で動作するように構成され、移動無線通信装置が複数のネットワークから要求ネットワークを選択するのを支援するための移動無線通信ネットワーク装置であって、前記複数のネットワークそれぞれのネットワーク識別子の構造化表現を作成し、前記要求ネットワークの前記識別子を、前記構造化表現中の所定位置に配置するようにさらに構成される装置。
【請求項１０】
前記多ネットワーク環境が共有ネットワーク環境を含む、請求項９に記載の装置。
【請求項１１】
前記構造化表現が、前記ネットワーク識別子のリスト、行列、および／または必要とされる任意のビットマップ表現の少なくとも１つを含む、請求項１０に記載の装置。
【請求項１２】
前記構造化表現中の前記所定位置が、ネットワークのリスト中の先頭位置、あるいは前記リストまたは行列内の特定の指定位置、もしくはビットマップ表現によって特定される特定の指定位置を含む、請求項１１に記載の装置。
【請求項１３】
前記構造化表現中の前記ネットワーク識別子のうち少なくとも２つの位置を変えて、前記所定位置に見つかる前記ネットワーク識別子を変更するように構成される、請求項９から１２のいずれか１項に記載の装置。
【請求項１４】
前記少なくとも２つのネットワーク識別子の位置を周期的に変えるようにさらに構成される、請求項１３に記載の装置。
【請求項１５】
制限されたサービスモードで動作している、かつ／または前記複数のネットワークの１つに緊急ベアラサービスを求めている移動無線通信装置が要求ネットワークを選択するために構成される、請求項９から１４のいずれか１項に記載の装置。
【請求項１６】
多ネットワーク環境内で複数のネットワークから要求ネットワークを選択するために構成された移動無線通信装置であって、前記複数のネットワークのネットワーク識別子の構造化表現を受信し、前記構造化表現中の所定位置に位置するネットワーク識別子を用いて前記ネットワークを選択するように構成される装置。
【請求項１７】
前記多ネットワーク環境が共有ネットワーク環境を含む、請求項１６に記載の装置。
【請求項１８】
前記構造化表現が、前記ネットワーク識別子のリスト、行列、および／または必要とされる任意のビットマップ表現の少なくとも１つを含む、請求項１６または１７に記載の装置。
【請求項１９】
前記構造化表現中の前記所定位置が、リスト中の先頭位置、またはリスト、行列、もしくはビットマップ表現中の特定の指定位置を含むことができる、請求項１８に記載の装置。
【請求項２０】
制限されたサービスモードで動作している時、かつ／または前記複数のネットワークの１つまたは複数に緊急ベアラサービスを求めている時に要求ネットワークを選択するために構成される、請求項１６から１９のいずれか１項に記載の装置。
【請求項２１】
請求項１から８のいずれか一項に定義される方法を実施するための命令を備えたコンピュータプログラム、コンピュータプログラム製品、またはコンピュータ可読媒体。
【請求項２２】
共有ネットワーク環境で緊急ベアラサービスを提供する要求されるＰＬＭＮをＰＬＭＮのリストからユーザ装置が選択する方法であって、前記複数のＰＬＭＮそれぞれのネットワーク識別子のリストを作成するステップと、前記要求ＰＬＭＮの前記識別子を前記リスト中の所定位置に配置するステップとを含む方法。
【請求項２３】
共有ネットワーク環境で動作するように構成され、緊急ベアラサービスを提供する要求されるＰＬＭＮを複数のＰＬＭＮからユーザ装置が選択するのを支援するためのネットワークノード装置であって、前記複数のＰＬＭＮそれぞれのネットワーク識別子のリストを作成し、前記要求ＰＬＭＮの前記識別子を前記リスト中の所定位置に配置するようにさらに構成される装置。
【請求項２４】
共有ネットワーク環境で緊急ベアラサービスを提供する要求されるＰＬＭＮを複数のＰＬＭＮから選択するために構成されるユーザ装置であって、前記複数の前記ＰＬＭＮのネットワーク識別子のリストを受信し、前記リスト中の所定位置に位置するネットワーク識別子を用いて前記要求ネットワークを選択するように構成される装置。
【請求項２５】
概ね上記で添付図面を参照して説明した要領で移動通信装置が要求ネットワークを選択するのを支援する方法。
【請求項２６】
メモリ機能に関連付けられた送信および受信回路と、
緊急ベアラサービスなど所定の求められる特性を有するネットワークのネットワーク識別子を、前記装置から前記ＳＩで送信されるＰＬＭＮ一覧の中の所定位置に配置する役割を果たす順序付け機能を含むプロセッサ機能と
をさらに含む請求項９に記載の装置。
【請求項２７】
送信および受信回路ならびにそれに関連付けられた記憶媒体と、
移動無線通信ネットワーク装置からブロードキャストされたＳＩで受信される共有ＰＬＭＮリスト中の所定の場所にあるＰＬＭＮ識別子に関連付けられたＰＬＭＮを特定する役割を果たす選択機能を含むプロセッサ機能と
をさらに含む、請求項１６に記載の装置。
【発明の詳細な説明】
【技術分野】
【０００１】
本発明は、ネットワークの選択に関し、特に、そのような選択および支援する方法、ならびにその方法のために構成された移動無線通信ユーザ装置および移動無線通信ネットワーク装置に関する。
【背景技術】
【０００２】
ネットワークの整備費用を低減するために、しばしば一台の移動無線通信ネットワーク装置が、複数のネットワーク、特に公衆地上移動ネットワーク（ＰＬＭＮ）の１つにアクセスする能力を有する。
【０００３】
一台の移動無線通信ネットワーク装置を通じて複数のネットワークが利用可能であるシナリオでは、ユーザ装置で選択される可能性が最も高いネットワークと、無線ネットワーク通信装置にとってより好ましい可能性がある、または無線ネットワーク通信装置で選択される可能性が最も高いネットワークとの不一致から問題が生じる可能性がある。そのような不一致は、ユーザ装置の進行中の操作性に不利な影響を与える可能性がある。さらにセキュリティおよび認証の要件が満たされない可能性がある。
【発明の概要】
【発明が解決しようとする課題】
【０００４】
本発明は、ネットワーク選択の方法、ならびにそれに関連する、知られている同種の装置を上回る利点を有する移動無線通信ユーザ装置および複数のネットワークへのアクセスを提供する移動無線通信ネットワーク装置の操作性を提供しようとするものである。
【０００５】
特に、本発明は、接続のセキュリティおよび認証の要件に関して現在の当技術分野で既知の問題を克服しようとすることができる。
【０００６】
現在の当技術分野で見られる上記の問題および制約は、制限されたサービスモードで動作しているユーザー機器（ＵＥ）に対して緊急ベアラサービスがサポートされることが求められ、緊急ベアラサービスにアクセスするために複数のネットワークの１つを選択することが必要とされるシナリオで特によく見られる。
【０００７】
例えば、ＩＰマルチメディアサブシステム（ＩＭＳ）の緊急呼は、3GPP Rel-9仕様に基づいてサポートされる。すなわち、ＩＭＳ緊急呼のサポート通知は利用可能なシステム情報（ＳＩ）を介して各セルからブロードキャストされるように構成することができ、ＩＭＳ緊急サービスが現在のセルでサポートされていない場合、制限されたサービスモードで動作しているＵＥは別のセルを選択することができる。
【０００８】
そのようなＩＭＳ緊急呼のサポートについてのさらなる詳細および要件は、3GPP技術仕様36.300、項23.1.1で得ることができ、この仕様では、ＳＩ中のＩＭＳ緊急呼サポート標識は、非共有環境内の移動性管理エンティティ（ＭＭＥ）のいずれか、または共有ネットワーク環境のＰＬＭＮの１つがＩＭＳ緊急ベアラサービスをサポートしている場合に、「真」に設定される。
【０００９】
TS36.300と識別される技術仕様の項10.1.7などＥ−ＵＴＲＡＮに関連する3GPP仕様に関しては、Ｅ−ＵＴＲＡＮが複数の事業者に共有されている場合、各共有セル内のＳＩブロードキャストは各事業者のＰＬＭＮ識別を含む。上述の技術仕様で扱われるように、最大で６つの事業者がＥ−ＵＴＲＡＮを共有することができる。しかし、最大で６つのＰＬＭＮがセルを共有でき、また認識されるようにＩＭＳ緊急サポートの通知に１ビットのみが使用される限り、これは、3GPP SA2のLiaison Statement （ＬＳ）、すなわちS2-096386で論じられるように、潜在的な問題とそれに関連する制約につながる可能性がある。このＬＳは、制限されたサービスモードにあり共有Ｅ−ＵＴＲＡＮセルにあるＵＥが、自身がＩＭＳ緊急サービスをサポートすることを１ビットの識別子を通じてブロードキャストするシナリオを明らかにする。緊急ベアラサービスが必要とされる場合、ＵＥは、共有Ｅ−ＵＴＲＡＮセル内のＰＬＭＮの１つに向けて緊急アタッチ信号を発行することができる。しかし、そのセル内のｅＮＢは、緊急ベアラサービスをサポートしているもののＵＥが緊急アタッチ手順を開始したＰＬＭＮとは異なる可能性が最も高いＰＬＭＮのＭＭＥを自動的に選択しようとする。
【００１０】
しかし、後の認証手順の後、ＵＥとＭＭＥ／ＨＳＳは、マスター鍵Ｋ＿ＡＳＭＥの導出への入力として互いに異なるＰＬＭＮ識別子を用いる。認証手順は成功するが、ＵＥはＭＭＥからの以後のメッセージを解読することができず、ＭＭＥはＵＥからのメッセージを一切解読できないことになる。
【００１１】
そのような問題を克服、または少なくとも限定するために様々な試みがなされてきたが、さらなる、または付随する制約や問題を招くことなくこの目標を達成しようとする者はない。例えば、3GPP RAN 2における最近の論議は、共有されるＰＬＭＮごとに緊急呼のサポート通知を提供するという提案に至っているが、無論、これには、該当緊急サービスを提供するために現行の１ビットの代わりに６ビットが必要になるため、ＳＩサイズの増大につながる不利点があることが理解される。特に、ブロードキャストされるデータ要素は、セルに入るユーザ装置からの高速なアクセスを可能にするために常時かつ頻繁に送信されるため、このデータ要素のサイズは常に重要な考慮事項である。ブロードキャストされるデータ要素のサイズを増大させるとネットワーク容量が減少するため、データ要素は可能な限り短く保つことが望ましい。
【００１２】
さらに、上記LS S2-096386で論じられるように、可能な、しかし制限のある要求条件は、共有Ｅ−ＵＴＲＡＮにあるすべてのＰＬＭＮに同じＩＭＳ緊急サポートを用いさせるものである。これは、無論、ｅＮＢが別のＰＬＭＮを選択することを妨げる。
【００１３】
本発明は、ＵＥが共有ネットワーク環境で制限されたサービスモードで動作している時、特に適切なＰＬＭＮを通じてＩＭＳ緊急呼を発しようとしている時に、ＰＬＭＮの選択を支援するための方法、ならびにそれに関連するネットワーク装置およびＵＥ装置を提供しようとするものである。
【課題を解決するための手段】
【００１４】
本発明の第１の態様によれば、多ネットワーク環境内で移動無線通信装置が複数のネットワークから要求ネットワークを選択するのを支援する方法が提供され、この方法は、前記複数のネットワークそれぞれのネットワーク識別子の構造化表現を作成するステップと、前記要求ネットワークの識別子を、前記構造化表現中の所定位置に配置するステップとを含む。
【００１５】
本発明は、例えばＩＭＳ緊急ベアラサービスのサポートなどの必要とされる特性を有するネットワークをユーザ装置によって容易に選択できるため有利であることが分かり、要求されるネットワークと選択されるネットワークとの間に不一致がなく、それにより、現在の技術で明らかになっている制約および不利点が回避される。
【００１６】
本発明の他の態様によれば、多ネットワーク環境で動作するように構成され、移動無線通信ユーザ装置が同じ移動無線通信ネットワーク装置を通じて利用することが可能な複数のネットワークから要求ネットワークを選択するのを支援するための移動無線通信ネットワーク装置が提供され、この装置はさらに、前記複数のネットワークそれぞれのネットワーク識別子の構造化表現を作成し、前記要求ネットワークの識別子を、前記構造化表現中の所定位置に配置するように構成される。
【００１７】
本発明のさらなる態様によれば、単一の移動無線通信ネットワーク装置を通じて利用することが可能な複数のネットワークから要求ネットワークを選択するために構成された移動無線通信ユーザ装置が提供され、この装置は、前記複数のネットワークのネットワーク識別子の構造化表現を受信し、前記構造化表現中の所定位置に位置するネットワーク識別子を用いて前記要求ネットワークを選択するように構成される。
【００１８】
無論、本発明は、上記で定義し、上述の移動無線通信ネットワーク装置および／または移動無線通信ユーザ装置によって提供される方法を実施するための命令を備えたコンピュータプログラム、コンピュータプログラム製品、またはコンピュータ可読媒体を提供することができることが理解されよう。
【００１９】
上述の本発明の各種態様で、前記多ネットワーク環境は、例えば共有ＰＬＭＮおよびＥ−ＵＴＲＡＮ共有環境を含む共有ネットワーク環境を含むことができることが理解されよう。
【００２０】
また、前記構造化表現は、ネットワーク識別子のリスト、行列、および／または必要とされる任意のビットマップ表現を含むことができる。
【００２１】
１つの構成では、前記構造化表現中の前記所定位置は、ネットワーク識別子のリスト中の先頭位置、またはネットワーク識別子のリスト中の特定の指定位置を含むことができる。
【００２２】
代替構成では、前記構造化表現は、ネットワーク識別子のリスト中の第１および第２の位置、ならびにそれら２つの位置の１つにあるネットワーク識別子を選択するための２値の指示を含むことができ、または、前記表現は、２つ以上の位置からなる特定の指定された集合と、Ｎ個の位置の１つにあるネットワーク識別子を選択するＮ個の可能な値とを有する指示を含むことができ、Ｎは集合中の位置の数である。
【００２３】
好ましい一構成では、方法は、構造化表現中のネットワーク識別子のうち少なくとも２つの位置を変えて、前記所定位置に見つかるネットワーク識別子を変更するさらなるステップを含むことができる。
【００２４】
特に、方法は、前記少なくとも２つのネットワーク識別子の位置の周期的な変更を提供することができる。
【００２５】
理解されるように、本発明は、制限されたサービスモードで動作し、複数のネットワークの１つまたは複数に緊急ベアラサービスを求めている移動無線通信装置が要求ネットワークを選択するために特に有用であることが分かる。
【００２６】
本発明について以下で添付図面を参照して単なる例としてさらに説明する。
【図面の簡単な説明】
【００２７】
【図１】６つのネットワークに共有されるＥ−ＵＴＲＡＮセルの概略図である。
【図２】図１のネットワーク構成に図示するネットワーク装置の概略図である。
【図３】図１のネットワーク環境で動作するように構成された移動無線通信ユーザ装置の概略図である。
【図４】本発明の一実施形態により発生するネットワークシグナリングを説明するシグナリング図である。
【発明を実施するための形態】
【００２８】
まず、図１を参照すると、Ｅ−ＵＴＲＡＮ環境１２にある共有ＥＵＴＲＡＮセル１０の概略図が提供される。セル１０内で、ｅＮＢ１４は６つの異なるＰＬＭＮ、すなわちＰＬＭＮ＃１、ＰＬＭＮ＃２、ＰＬＭＮ＃３、ＰＬＭＮ＃４、ＰＬＭＮ＃５、およびＰＬＭＮ＃６に共有されている。
【００２９】
したがって、ネットワーク環境１２は共有ネットワーク環境を備え、セル１０内に位置する移動無線通信ユーザ装置１６などのユーザ装置は、６つのＰＬＭＮの少なくとも１つにアクセスすることが可能である。
【００３０】
図の例では、共有ネットワーク環境は、ユーザ装置１６が制限されたサービスモードで動作することができる環境であり、例えば、緊急ベアラサービスのためだけに６つのネットワークの１つまたは複数へのアクセスが提供される。
【００３１】
本発明の動作にはｅＮＢ１４およびユーザ装置１６が特定機能を有することが必要とされ、その機能については図２および図３を参照して下記でさらに詳細に述べる。
【００３２】
この共有ネットワーク環境内で６つのＰＬＭＮの１つまたは複数がＩＭＳ緊急ベアラサービスをサポートしていると仮定すると、ｅＮＢ１４は、ＳＩのＩＭＳを「真」に設定する、すなわち、そのような緊急サービスがサポートされていることを通知するように構成することができる。ｅＮＢ１４からのシグナリングメッセージングは、６個のＰＬＭＮ各々のネットワーク識別子を提供する役割を果たし、ｅＮＢ１４内部の機能は、ＩＭＳ緊急サービスをサポートするＰＬＭＮの識別子がネットワーク識別子の表現中の特定の位置にあることを保証する役割を果たす。例えば、表現がネットワーク識別子のリストを含む場合、要求されるネットワーク、すなわちＩＭＳ緊急サポートを提供するネットワークはリストの先頭に置かれる。あるいは、要求されるネットワークは、共有ＰＬＭＮリスト中の所定の位置／インデックスに置くことができる。
【００３３】
したがって、利点として、緊急ベアラサービスをサポートするＰＬＭＮをユーザ装置１６が選択することができ、そのためｅＮＢ１４が別のＰＬＭＮを選択する必要がない。このようにすると、ＭＭＥ／ＨＳＳとユーザ装置が同一のＰＬＭＮを使用することになり、上記のＩＭＳ緊急手順の導出セキュリティ／認証手順は、わずか１ビットのデータオーバーヘッドで完了することができる。
【００３４】
２ビットまたは３ビットのビットマップを用いて、ユーザ装置１６に選択される要求ネットワークを特定する場合でも、これはなお適切に制限されたオーバーヘッドを示すと同時に、構造化された表現中に要求ネットワークの識別子を配置する際の柔軟性を高める。
【００３５】
次いで図２を参照すると、図１のｅＮＢ１４の概略図が提供される。言及したようにｅＮＢ１４は図１の６つのＰＬＭＮに共有されるように構成され、ｅＮＢ１４からブロードキャストされるＳＩには、それらＰＬＭＮの１つまたは可能性としては複数が緊急ベアラサービスを提供するかどうかについての１ビットの通知が提供される。ただし、６つのうちどのＰＬＭＮが要求される緊急ベアラサービスを提供するかを通知する役割を果たすさらなる専用のデータビットはなく、上記から理解されるように、共有ＰＬＭＮリストなどの構造化表現中での、その要求サービスを提供するＰＬＭＮの配置が、ユーザ装置１６による選択およびアクセスが可能な要求ＰＬＭＮを特定する役割を果たす。
【００３６】
ｅＮＢは、メモリ機能２０およびプロセッサ機能２２に関連付けられた標準的な送信１７および受信１８回路も含み、それらの機能には、例えば、緊急ベアラサービスなどの所定の求められる特性を有するネットワークのネットワーク識別子を、ｅＮＢ１４からＳＩで送信されるＰＬＭＮ一覧の中の所定位置に配置する役割を果たす順序付け機能２４が含まれる。
【００３７】
次いで図３を参照すると、図１のネットワーク環境でｅＮＢ１４からブロードキャストシグナリングを受信するために使用することができるユーザ装置１６の概略図が提供される。通常通り、ユーザ装置１６は、送信２６および受信２８回路と、それに関連付けられた記憶媒体３０およびプロセッサ機能３２を用いる。プロセッサ機能３２に含まれる機能として、ｅＮＢ１４からブロードキャストされたＳＩで受信される共有ＰＬＭＮリスト中の所定の場所にあるＰＬＭＮ識別子に関連付けられたＰＬＭＮを特定する役割を果たす選択機能３４が提供される。
【００３８】
ＰＬＭＮ共有リストにある１つまたは複数の要求されるＰＬＭＮ識別子の場所は、ｅＮＢ１４が異なるＰＬＭＮを選択してしまう危険性なしに、ユーザ装置１６が、セル１０内で必要とされるＩＭＳ緊急サポートを提供するＰＬＭＮを選択するのを支援する役割を果たす利点がある。
【００３９】
したがって、セキュリティおよび認証手順は成功し、現在の技術で見られる可能性のある障害は示さない。
【００４０】
次いで図４を参照すると、共有ネットワーク１０、１２とユーザ装置１６との間で発生するシグナリングを説明する図が提供される。
【００４１】
３６に示すように、共有ネットワーク内の１つまたは複数のＰＬＭＮがＩＭＳ緊急ベアラサービスをサポートする場合、ｅＮＢ１４からブロードキャストされるＳＩは、「緊急サービスをサポート」の旨の通知、すなわち「真」のフラグを含むことができ、その緊急サポートを提供するＰＬＭＮの識別子が共有ＰＬＭＮリスト中の所定位置に置かれる。
【００４２】
そのような標識を含むＳＩシグナリング３８が図のようにユーザ装置１６にブロードキャストされる。
【００４３】
共有ネットワークのそのセル１０に緊急サポートが存在すると通知されるものと仮定すると、ユーザ装置１６は、適切な緊急呼要求を対象ＰＬＭＮに発行する。
【００４４】
したがって理解されるように、本発明は現在の技術を上回る有利な機能を提供する。これは、リストの先頭に特定されるＰＬＭＮがＩＭＳ緊急呼をサポートするＰＬＭＮを含むこと、または共有ＰＬＭＮリスト中の所定位置／インデックスに置かれた識別子がＩＭＳ緊急呼をサポートするネットワークを含むことを保証するようにネットワークが有利に構成されるためである。該当位置は固定するか、または１〜２、１〜３、１〜４、１〜５、もしくは１〜６の範囲のインデックス値で示される。このインデックスは、上記範囲に従って１ビット、２ビット、または３ビットで２値符号化された整数値、または他の情報を含む数値内の指定された値の集合として表すことができる。例えば２ビット値を使用し、その場合は、１つの値（例えば００）でＩＭＳ緊急呼がサポートされないことを示し、第２の値（例えば０１）で共有ＰＬＭＮリスト中の最初のＰＬＭＮでＩＭＳ緊急がサポートされることを示し、第３の値（例えば１０）で共有ＰＬＭＮリスト中の２番目のＰＬＭＮでＩＭＳ緊急呼がサポートされることを示す。
【００４５】
あるいは１ビット値を使用し、その場合は１つの値（例えば０）で、共有ＰＬＭＮリスト中の最初のＰＬＭＮでＩＭＳ緊急がサポートされることを示し、第２の値（例えば１）で、共有ＰＬＭＮリスト中の２番目のＰＬＭＮでＩＭＳ緊急呼がサポートされることを示す。
【００４６】
利点として、共有ネットワーク内で制限されたサービスモードで動作しているユーザ装置は有利に、最初のＰＬＭＮ識別子または該当位置にあるＰＬＭＮ識別子を選択して、その識別子で特定されるネットワークに適当な緊急呼要求を発行する。
【００４７】
上記のように、複数のネットワークが必要機能を提供する場合、ネットワークは有利に、また周期的に必要とされる場合に、ＩＭＳ緊急ベアラサービスのサポートなどの所望の特性を提供するＰＬＭＮの構造化表現の中でＰＬＭＮ識別子が出現する順序を変えることができる。
【００４８】
したがって、本発明は、制限されたサービスモードにあり共有ネットワーク環境にあるユーザ装置がＩＭＳ緊急呼サービスのためにＰＬＭＮを選択できるようにすることが理解されよう。
【図１】
2013516800.tif 000003
【図２】
2013516800.tif 000004
【図３】
2013516800.tif 000005
【図４】
2013516800.tif 000006
【手続補正書】
【提出日】平成24年9月13日(2012.9.13)
【手続補正２】
【補正対象書類名】明細書
【補正対象項目名】０００２
【補正方法】変更
【補正の内容】
【０００２】
【背景技術】
本願は、２０１０年１月１１日に出願された英国特許出願第1000345.7号に基づき、その優先権の恩恵を主張するものであり、同特許出願の内容は参照により組み込む。
ネットワークの整備費用を低減するために、しばしば一台の移動無線通信ネットワーク装置が、複数のネットワーク、特に公衆地上移動ネットワーク（ＰＬＭＮ）の１つにアクセスする能力を有する。
【国際調査報告】
2013516800.tif 000007